(57)【特許請求の範囲】
【請求項１】
天板と、この天板の後端から上方に突出するバックパネルとを備えた机において、バックパネルが主パネル板と、この主パネル板の左右両側端にそれぞれ縦設された一対の縦フレーム材とを有し、頂面部にペン等の筆記具を縦挿する挿入口を形成したペントレーの左右両端部を上記一対の縦フレーム材に止着させ、上記縦フレーム材が上記主パネル板の前方に突出しており、上記ペントレーの背面と上記主パネル板の前面との間に紙類を収容する紙類挟み部が形成されていることを特徴とする机におけるペントレーの取付構造。
【請求項２】
上記ペントレーの底部には上記一対の縦フレーム材の間で上記主パネル板の前面に当接して上記紙類挟み部の底部を閉塞する後部突出片が設けられていることを特徴とする請求項１記載の机のペントレー取付構造。
【請求項３】
上記ペントレーが更に上記頂面部の後端から上記縦フレーム材の前面に沿って下方に延びる上背板部と、上記頂面部の前端から下方に延びる前板部と、この前板部の下端から上記縦フレーム材の前面近傍まで後方に延びる上底板部と、この上底板部の後端から下方に延びる脚板部と、この脚板部の下端から上記縦フレーム材の前面まで後方に延びる下底板部と、これら上背板部、頂面部、前板部、上底板部、脚板部および下底板部で囲まれる筆記具収容部の左右両側端を閉塞する側板部とを有し、上記後部突出片が上記下底板部の後端から後方に突出していることを特徴とする請求項２記載の机におけるペントレーの取付構造。
【請求項４】
上記上背板部、頂面部、前板部、上底板部、脚板部、下底板部および後部突出片が１枚の金属板の折曲げ加工により一体に形成されていることを特徴とする請求項３記載の机におけるペントレーの取付構造。
【発明の詳細な説明】
【０００１】
【産業上の利用分野】
本発明は、机におけるペントレーの取付構造に関し、さらに詳しくは、机の天板の後端から上方に突出するバックパネルを利用したペントレーの取付構造に関する。
【０００２】
【従来の技術】
従来、机の上に置くペントレーとしては、上部が開口した比較的深い箱形のものや、浅い皿形のものが多用されている。
【０００３】
【発明が解決しようとする課題】
しかし、上記のペントレーを机の天板上に置いた場合、天板上の有効作業スペースが小さくなり、デスクワークに支障をきたす原因となる。
【０００４】
したがって、本発明の目的は、机の天板上におけるペントレーの省スペース化を図りつつ、筆記具の収容スペースを確保できるペントレーの取付構造を提供することにある。
【０００５】
【課題を解決するための手段】
上記課題を解決するために、請求項１記載の発明は、天板と、この天板の後端から上方に突出するバックパネルとを備えた机において、バックパネルが主パネル板と、この主パネル板の左右両側端にそれぞれ縦設された一対の縦フレーム材とを有し、頂面部にペン等の筆記具を縦挿する挿入口を形成したペントレーの左右両端部を上記一対の縦フレーム材に止着させ、上記縦フレーム材が上記主パネル板の前方に突出しており、上記ペントレーの背面と上記主パネル板の前面との間に紙類を収容する紙類挟み部が形成されていることを特徴とする机におけるペントレーの取付構造を提供する。
【０００６】
請求項２記載の発明は、請求項１記載のペントレーの取付構造において、上記ペントレーの底部には上記一対の縦フレーム材の間で上記主パネル板の前面に当接して上記紙類挟み部の底部を閉塞する後部突出片が設けられていることを特徴とする。
【０００７】
請求項３記載の発明は、請求項２記載のペントレーの取付構造において、上記ペントレーが更に上記頂面部の後端から上記縦フレーム材の前面に沿って下方に延びる上背板部と、上記頂面部の前端から下方に延びる前板部と、この前板部の下端から上記縦フレーム材の前面近傍まで後方に延びる上底板部と、この上底板部の後端から下方に延びる脚板部と、この脚板部の下端から上記縦フレーム材の前面まで後方に延びる下底板部と、これら上背板部、頂面部、前板部、上底板部、脚板部および下底板部で囲まれる縦断面略Ｐ字形状の筆記具収容部の左右両側端を閉塞する側板部とを有し、上記後部突出片が上記下底板部の後端から後方に突出していることを特徴とする。
【０００８】
請求項４記載の発明は、請求項３記載のペントレーの取付構造において、上記上背板部、頂面部、前板部、上底板部、脚板部、下底板部および後部突出片が１枚の金属板の折曲げ加工により一体に形成されていることを特徴とする。
【０００９】
【作用】
請求項１記載の机におけるペントレーの取付構造においては、ペントレーをバックパネルの前面側に保持できるので、天板上におけるペントレーの省スペース化を図りつつ筆記具等の収容スペースを確保できる。また、ペントレーの背面と主パネル板の前面との間に紙類を収容する紙類挟み部が形成されているので、天板上の有効作業スペースを狭めることなくメモ用紙等の収容スペースを確保することができる。
【００１０】
請求項２記載のペントレーの取付構造においては、ペントレーの背面と主パネル板の前面との間に形成される紙類挟み部をペントレーの後部突出片によって一定深さに規制することができる。
【００１１】
請求項３記載のペントレーの取付構造においては、ペントレーが縦断面略Ｐ字形状の筆記具収容部を有するものとなっているので、天板上の有効作業スペースをさらに増大させることができる。
【００１２】
請求項４記載のペントレーの取付構造においては、ペントレーの上背板部、頂面部、前板部、脚板部、下底板部および後部突出片が１枚の金属板の折曲げ加工により一体に形成されているので、ペントレーの製造工程を簡素化することができ、ペントレーを安価なものとすることができる。
【００１３】
【実施例】
以下、図面を参照して本発明の実施例につき説明する。
図１から図４までは、本発明の一実施例を示したものである。これらの図を参照すると、机は天板１と、この天板１の後端から上方に突出するバックパネル２とを備えており、バックパネル２は主パネル板３と、この主パネル板３の左右両側端にそれぞれ縦設された一対の縦フレーム材４，５とを有している。これら一対の縦フレーム材４，５は主パネル板３の前方に突出しており、主パネル板３の上下両端にそれぞれ横設された一対の横フレーム材６，７と連結されて矩形のフレームを構成している。
【００１４】
この実施例では、天板１は左右の前脚体８，９と左右の後脚体１０，１１によって所定高さ位置に支持されており、前脚体８，９と後脚体１０，１１との間にそれぞれサイドパネル１２，１３が保持されている。そして、バックパネル２は一対の縦フレーム材４，５を天板１の後端面に当接して左右の後脚体１０，１１に保持されており、バックパネル２の下端は床近傍に位置している。
【００１５】
全体的に符号１４で示すペントレーは、その頂面部１５にペン等の筆記具を縦挿する挿入口１６を形成してなる。このペントレー１４の左右両端部はバックパネル２の一対の縦フレーム材４，５の前面に植設された係止ねじ１７に係止されており、ペントレー１４の背面とバックパネル２の主パネル板３の前面との間に紙類を収容する紙類挟み部１８が形成されている。そして、ペントレー１４の底部には一対の縦フレーム材４，５の間で主パネル板３の前面に当接して紙類挟み部１８の底部を閉塞する後部突出片１９が設けられている。
【００１６】
図２および図３に示すように、このペントレー１４は更に頂面部１５の後端から縦フレーム材４，５の前面に沿って下方に延びる上背板部２０と、頂面部１５の前端から下方に延びる前板部２１と、この前板部２１の下端から縦フレーム材４，５の前面近傍まで後方に延びる上底板部２２と、この上底板部２２の後端から下方に延びる脚板部２３と、この脚板部２３の下端から縦フレーム材４，５の前面まで後方に延びる下底板部２４と、これら上背板部２０、頂面部１５、前板部２１、上底板部２２、脚板部２３および下底板部２４で囲まれる筆記具収容部２５の左右両側端を閉塞する側板部２６，２７とを有しており、後部突出片１９は下底板部２４の後端から後方に突出している。また、この実施例では、上背板部２０、頂面部１５、前板部２１、上底板部２２、脚板部２３、下底板部２４および後部突出片１９が１枚の金属板の折曲げ加工により一体に形成されている。また、ペントレー１４の上背板部２０の下端には係止ねじ１７と係合する切欠き２８が形成されている。
【００１７】
上記構成を有する机におけるペントレーの取付構造においては、ペントレー１４をバックパネル２の前面側に保持できるので、天板１上におけるペントレー１４の省スペース化を図りつつ筆記具等の収容スペースを確保できる。
【００１８】
また、ペントレー１４の背面とバックパネル２の主パネル板３の前面との間に紙類を収容する紙類挟み部１８が形成されているので、天板１上の有効作業スペースを狭めることなくメモ用紙等の収容スペースを確保することができる。
【００１９】
さらに、ペントレー１４の底部には一対の縦フレーム材４，５の間で主パネル板３の前面に当接して紙類挟み部１８の底部を閉塞する後部突出片１９が設けられているので、ペントレー１４の背面と主パネル板３の前面との間に形成される紙類挟み部１８をペントレー１４の後部突出片１９によって一定深さに規制することができる。なお、この実施例では、ペントレー１４は下底板部２４が天板１の上面に当接するようにバックパネル２に係止されているが、ペントレー１４を図示位置よりも高い位置に係止することができ、その場合、ペントレー１４が後部突出片１９を有していれば、後部突出片１９により紙類挟み部１８の底部を天板１より高い位置で閉塞することができる。
【００２０】
また、この実施例では、ペントレー１４が縦断面略Ｐ字形状の筆記具収容部２５を有するものとなっているので、天板１上の有効作業スペース、特に奥行きスペースをさらに増大させることができる。
【００２１】
また、ペントレー１４の上背板部２０、頂面部１５、前板部２１、上底板部２２、脚板部２３、下底板部２４および後部突出片１９が１枚の金属板の折曲げ加工により一体に形成されているので、ペントレー１４の製造工程を簡素化することができ、ペントレー１４を安価なものとすることができる。
【００２２】
図５はバックパネル２の変形例を示したものである。同図に示すように、バックパネル２はその下端が天板１の後端上面に当接されるものであってもよい。
【００２３】
以上、本発明の好ましい実施例につき説明したが、本発明は上記実施例の態様のみに限定されるものではない。例えば、上記実施例ではペントレー１４の背面の上部のみがバックパネル２の縦フレーム材４，５に係止されているが、ペントレー１４の背面の上部と下部をそれぞれ係止ねじ等の係止具でバックパネル２の縦フレーム材４，５に止着してもよく、さらに、ペントレー１４はその背面を両面粘着テープ、接着剤等でバックパネル２の縦フレーム材４，５に止着してもよい。
【００２４】
また、図示実施例のペントレー１４は背面部を開放したものとなっているが、背面部を閉塞したものとしてもよい。また、ペントレー１４は鉛筆・万年筆・ボールペンのみならず、筆記具挿入口を各種の形状や大きさにすることにより、定規・ハサミ・小形カッター等の他の各種文具を保持するように構成することもできる。また、ペントレーの外観形状も任意の形状とすることができる。
【００２５】
【発明の効果】
以上の説明から明らかなように、本発明によれば、ペントレーをバックパネルの前面側に取り付けることができるので、机の天板上におけるペントレーの省スペース化を図りつつ、筆記具等の収容スペースを広く確保することができることとなる。また、紙類挟み部が形成されているので、天板上の有効作業スペースを狭めることなくメモ用紙等の収容スペースを確保できる。
【図面の簡単な説明】
【図１】本発明の一実施例を示す机の斜視図である。
【図２】図１に示す机の要部縦断面図である。
【図３】図１に示すペントレーの一部破断斜視図である。
【図４】図１に示すペントレーの取付け方法を示す机の要部斜視図である。
【図５】バックパネルの変形例を示す机の要部縦断面図である。
【符号の説明】
１    天板
２    バックパネル
３    主パネル板
４，５  縦フレーム材
１４  ペントレー
１５  頂面部
１６  挿入口
１７  係止ねじ
１８  紙類挟み部
１９  後部突出片
２０  上背板部
２１  前板部
２２  上底板部
２３  脚板部
２４  下底板部
２５  筆記具収容部
【図１】
0003547091.tif 000002
【図２】
0003547091.tif 000003
【図３】
0003547091.tif 000004
【図４】
0003547091.tif 000005
【図５】
0003547091.tif 000006